(57)【特許請求の範囲】
【請求項１】
１本又は複数本のロープをスリップ可能に拘束し、ロープのスリップ抵抗を超えるとロープのスリップを許容するグリップ装置であって、
重ね合せて配列され、前記ロープの外周面を両側から挟み込み可能な複数の拘束単板と、
前記複数の拘束単板を位置決めして固定する固定手段とを具備し、
前記拘束単板は単板本体の中央部に挟込口を有すると共に、該挟込口の奥部にロープ収容溝を有し、
前記複数の拘束単板は、挟込口の向きが１８０°逆向きにした状態で重ね合せられ、
前記拘束単板のロープ収容溝の中心が、固定手段の中心に対して挟込口の入口側へ偏心した位置関係にあることを特徴とする、
グリップ装置。
【請求項２】
前記複数の拘束単板の偏心がゼロとなるように前記複数の拘束単板が押し込まれたときに、押込み方向が逆向きのロープ収容溝を介して前記ロープが波形形状に変形されることを特徴とする、請求項１に記載のグリップ装置。
【請求項３】
前記ロープ収容溝の両端部が面取りされていることを特徴とする、請求項１又は２に記載のグリップ装置。
【請求項４】
前記ロープの外周面を両側から挟み込まれた前記複数の拘束単板の収容溝が、ロープの長手方向に沿って不連続に形成されていることを特徴とする、請求項１乃至３の何れか一項に記載のグリップ装置。
【請求項５】
前記固定手段が、単板本体の両端部に設けた貫通孔と、複数の貫通孔に跨って挿通可能な長さを有する位置決体の組み合せであることを特徴とする、請求項１に記載のグリップ装置。
【発明の詳細な説明】
【技術分野】
【０００１】
本発明は１本又は複数本のロープをスリップ可能に拘束するグリップ装置に関する。
【背景技術】
【０００２】
落石用又は雪崩用防護柵は、防護ネットに作用した外力の吸収機能を有する緩衝装置を具備している。
特許文献１，２には、ループを形成したロープの重合部を把持可能な鋼又は鋳鉄で形成した２枚の挟持板と、挟持板を締め付けるための複数の締結ボルト、ナットを具備した緩衝装置が開示されている。
従来の緩衝装置は各挟持板の対向面に連続した単数又は複数のロープ収容溝が凹設してあり、各ロープ収容溝は断面が半円形を呈し、その全長に亘って径と深さが均一である。
ロープ収容溝とロープ外周面の間の摺動抵抗は、挟持板を締め付ける締結ボルトの締付力により求められ、ロープと挟持板との間に設定した摺動抵抗力以上の引張力が作用するとロープがスリップする構造になっている。
【先行技術文献】
【特許文献】
【０００３】
【特許文献１】特開２００８−２６７０９５号公報
【特許文献２】特開２０１０−１４４４３３号公報
【発明の概要】
【発明が解決しようとする課題】
【０００４】
従来の緩衝装置はつぎのような問題点を有している。
＜１＞複数の締結ボルトを所定のトルクで均一に締め付けることが難しく、締結力にバラツキが生じ易い。
締結力にバラツキを生じると緩衝装置が正規の緩衝性能を発揮できない。
＜２＞例えばロープの引張力が２倍に増えたからといって装置サイズやボルトの締結力を２倍にしてもロープの摺動抵抗は倍増しない。
従来の緩衝装置は引張力の大きさに応じて装置サイズやボルトの締結力等の様々な設計要素を組み合せて個別に設計しなければならず、引張力の大きさに見合った緩衝装置の設計に長時間を要していた。
＜３＞ロープ収容溝の溝端の角部が鋭く尖っているため、ロープが摺動する際にロープ収容溝の尖った角部に当たってロープが損傷したり破断したりする危険がある。
【０００５】
本発明は以上の点に鑑みて成されたもので、その目的とするところは、装置の構造が簡単で低コストに製作できると共に、簡単にスリップ抵抗を調整できるグリップ装置を提供することにある。
【課題を解決するための手段】
【０００６】
本発明は、１本又は複数本のロープをスリップ可能に拘束し、ロープのスリップ抵抗を超えるとロープのスリップを許容するグリップ装置であって、重ね合せて配列され、前記ロープの外周面を両側から挟み込み可能な複数の拘束単板と、前記複数の拘束単板を位置決めして固定する固定手段とを具備し、前記拘束単板は単板本体の中央部に挟込口を有すると共に、該挟込口の奥部にロープ収容溝を有し、前記複数の拘束単板は、挟込口の向きを１８０°逆向きにした状態で重ね合せられ、前記拘束単板のロープ収容溝の中心が、固定手段の中心に対して挟込口の入口側へ偏心した位置関係にある。
本発明の他の形態において、隣接した前記複数の拘束単板の偏心がゼロとなるように前記複数の拘束単板が押し込まれたときに、押込み方向が逆向きのロープ収容溝を介して前記ロープが波形形状に変形される。
本発明の他の形態において、前記ロープ収容溝の両端部が面取りされている。
本発明の他の形態において、前記ロープの外周面を両側から挟み込まれた前記複数の拘束単板の収容溝が、ロープの長手方向に沿って不連続に形成されている。
本発明の他の形態において、前記固定手段が、単板本体の両端部に設けた貫通孔と、複数の貫通孔に跨って挿通可能な長さを有する位置決体の組み合せである。
【発明の効果】
【０００７】
本発明に係る発明はつぎの効果を奏する。
＜１＞同一構造の拘束単板を共通して使用できるので、グリップ装置を低コストに製作できると共に、拘束単板の数を選択したり、各拘束単板の偏心量を変えたりすることでグリップ装置のスリップ抵抗（スリップ張力）を簡単に設定することができる。
＜２＞複数の拘束単板を極僅かに押し込むだけの簡単な操作で以て、波形状に屈曲させたロープの外周面を均等な力で拘束できて、安定したスリップ抵抗を得ることができる。
＜３＞従来の緩衝装置と比べて、多数本の締付ボルトとボルトのトルク管理が不要となるだけでなく、グリップ装置を小型化できる。
＜４＞ロープ収容溝の両端部を面取りしたことでロープがスリップする際にロープの損傷や破断が生じ難い。
＜５＞複数のロープと複数のグリップ装置とを組み合せて緩衝性能の高い防護ネットを製作できる。
【図面の簡単な説明】
【０００８】
【図１】ロープの一部を省略した本発明に係るグリップ装置の全体斜視図
【図２】拘束単板の側面図
【図３】ロープを複数の拘束単板間に挟み込むときの説明図
【図４】ロープを複数の拘束単板間で拘束したときの説明図
【図５】ロープを挟み込んだ初期状態における複数の拘束単板の断面図で、（ａ）は複数のロープ収容溝の縦断面図、（ｂ）は複数の貫通孔の縦断面図
【図６】押込時における複数の拘束単板の断面図で、（ａ）は複数のロープ収容溝の縦断面図、（ｂ）は複数の貫通孔の縦断面図
【図７】複数のロープとグリップ装置を組み付けて防護柵用の防護ネットを形成した説明図
【発明を実施するための形態】
【０００９】
図面を参照しながら本発明を実施するための好適な形態について説明する。
【００１０】
＜１＞グリップ装置の概要
図１を参照して説明すると、本発明に係るグリップ装置１０は、１本又は複数本のロープＡ，Ｂに一定のスリップ抵抗を付与して拘束する装置である。
「スリップ抵抗」とは、各ロープＡ，Ｂが一定の張力に達するとスリップを開始し、その張力を持続しながらスリップするときのロープＡ，Ｂの張力を指す。
ロープＡ，Ｂは鋼製ロープ、樹脂製ロープ、繊維製ロープ、又はこれらの複合物を含む。
本例ではグリップ装置１０が引張方向Ａ１，Ｂ１の異なる２本のロープＡ，Ｂをまとめて拘束する形態について説明するが、ロープの本数は１本、又は３本以上であっても適用可能である。
【００１１】
＜２＞グリップ装置
グリップ装置１０はロープＡ，Ｂに跨ってロープＡ，Ｂの両側から挟み込み可能な複数の拘束単板２０と、積層したこれら複数の拘束単板２０を一体に固定する固定手段とからなる。複数の拘束単板２０はすべて同一構造であり、例えば鋼又は鋳鉄等の硬質素材で形成されている。
【００１２】
＜３＞拘束単板
図２を参照して説明すると、拘束単板２０は全体が略コ字形を呈する均一厚の単板本体２１を有する。
本例の拘束単板２０は単板本体２１の中央に開設した挟込口２２と、挟込口２２の奥部に単板本体２１の交差方向へ向けて形成した単数又は複数のロープ収容溝２３と、単板本体２１の両端部に設けた円形を呈する一対の貫通孔２４，２４とを有する。
円弧状を呈するロープ収容溝２３の溝径は収容するロープ径と大略等しく、又ロープ収容溝２３の両端部はスリップ時にロープＡ，Ｂが傷付かないように面取り２６がしてある。
拘束単板２０の外形（輪郭形）は図示した略楕円形に限定されず、矩形や円形等でもよい。
拘束単板２０は同一構造のものを共通して使用することから、グリップ装置１０を低コストに製作できる。
【００１３】
＜３．１＞拘束単板の枚数
拘束単板２０は複数の単板本体２１を重ね合せて使用する。
本例では複数の単板本体２１の側面２５を隣接させた形態について示すが、隣り合う単板本体２１の間は側面２５が接触せずに離隔していてもよい。
本例では合計３枚の拘束単板２０を並列に配置して使用する形態を示すが、拘束単板２０の枚数は４枚でもよく、要は拘束単板２０が２枚以上であればよい。
【００１４】
＜３．２＞ロープ収容溝
本例ではロープＡ，Ｂが共に同径であり、かつ一対のロープ収容溝２３，２３の溝径がロープＡ，Ｂと同径である場合について説明するが、ロープＡ，Ｂは異径の組み合わせでもよい。
要はロープＡ，Ｂと対応したロープ収容溝２３，２３がロープＡ，Ｂと略同径であればよい。
又、収容溝２３，２３の断面形状は円形に限定されず、楕円形や四角形、六角形等の多角形でもよい。
【００１５】
＜３．３＞拘束単板の組付け方向
複数の拘束単板２０は、拘束単板２０の固体毎に挟込口２２の向きを１８０°逆向きにしてロープＡ，Ｂに組み付ける。
複数の拘束単板２０の組付け方向を逆向きにするのは、ロープＡ，Ｂを波形形状に屈曲させて拘束するためである。
本例では拘束単板２０を上向きと下向きを交互に変えて組み付けた形態を示す。
ロープＡ，Ｂに組み付ける際、複数の拘束単板２０は、直接向かい合うことはなく、隣り合う複数の拘束単板２０の挟込口２２の向きが逆向きの関係になっていればよい。
本例では１枚毎に拘束単板２０を入れ換えた形態を示すが、複数枚毎に入れ換えてもよい。
したがって、グリップ装置１０をロープＡ，Ｂに組み付けたとき、複数の拘束単板２０のロープ収容溝２３はロープＡ，Ｂの長手方向に沿って連続せず、不連続に形成される。
【００１６】
＜４＞固定手段
本例では、複数の拘束単板２０をまとめて固定する固定手段が、拘束単板２０の貫通孔２４と、複数の貫通孔２４に跨って挿通可能な長さを有する位置決体である拘束ボルト３０の組み合せである場合について説明する。
尚、位置決体の拘束ボルト３０に代えてストッパ付きのピンを適用することも可能である。
【００１７】
他の固定手段としては、帯状又は棒状のばね鋼を、拘束単板２０の端部に外装可能なＵ字形等の形状に屈曲したバネクリップを適用することも可能である。
拘束単板２０の端部に外装した複数のバネクリップが隣り合う各拘束単板２０に対して逆方向のばね力を付与することで、ロープＡ，Ｂの外周面を均等な力で拘束することができる。
【００１８】
＜５＞ロープ収容溝の中心と固定手段の中心の位置関係
図２〜４を参照してロープ収容溝２３の中心Ｏ１と固定手段（本例では貫通孔２４又は拘束ボルト３０）の中心Ｏ２の位置関係について説明する。
ロープ収容溝２３の中心Ｏ１は、固定手段の中心Ｏ２に対して挟込口２２の入口側へ所定の距離（偏心量）ｅだけ偏心している。
換言すれば、固定手段の中心Ｏ２は、ロープ収容溝２３の中心Ｏ１に対してロープ収容溝２３の溝底側に所定の距離ｅだけ偏心している。
本例では、一対のロープ収容溝２３，２３の中心Ｏ１を通る中心線Ｌ１が、一対の貫通孔２４又は一対の拘束ボルト３０の中心Ｏ２を通る中心線Ｌ２に対して挟込口２２の入口側へ所定の距離ｅだけ偏倚している。
ロープ収容溝２３の中心Ｏ１と固定手段の中心Ｏ２を偏心（偏倚）させたのは、複数の拘束単板２０にロープＡ，Ｂの拘束力を付与するためである。
拘束単板２０単体の偏心量を距離ｅとした場合、隣接する各拘束単板２０の間に２倍の偏心量（２ｅ）が発生する。
したがって、ロープＡ，Ｂの拘束力は拘束単板２０の距離ｅにより求められる。
【００１９】
［グリップ装置の組付け方法］
図３〜６を参照してグリップ装置１０の組付け方法について説明する。
本例では理解をし易くするため、挟込口２２を上向きにした拘束単板２０ａと、挟込口２２を下向きにした拘束単板２０ｂとにより水平に配置したロープＡ，Ｂに組み付ける場合について説明する。
【００２０】
＜１＞ロープへの挟み込み
図３に示すように、ロープＡ，Ｂの上下両側に挟込口２２を相対向させて複数の拘束単板２０ａ，２０ｂを配置する。
ロープＡ，Ｂの上下両側から拘束単板２０ａ，２０ｂを挟み込んで各ロープＡ，Ｂをロープ収容溝２３，２３内に収容する。
【００２１】
図５はロープＡ，Ｂを挟み込んだ初期状態における複数の拘束単板２０ａ，２０ｂの断面を示していて、（ａ）は複数のロープ収容溝２３の断面を示し、（ｂ）は複数の貫通孔２４の断面を示す。
複数の拘束単板２０ａ，２０ｂ間にロープＡ，Ｂを挟み込んだだけの初期状態においては、図５の（ａ）に示すようにロープの長手方向に並んだ上下複数のロープ収容溝２３の中心が略同一線上に位置し、各ロープＡ，Ｂは真直ぐな状態にある。
又、この初期状態においては、図５の（ｂ）に示すようにロープの長手方向に沿って位置する複数の貫通孔２４はその中心が上下方向へ向けて僅かにずれている。
【００２２】
＜２＞拘束単板の押込み
つぎに図４に示すように、油圧ジャッキや万力等の拘束機材（図示せず）を用いて、偏心量がゼロとなるまで相対向する複数の拘束単板２０ａ，２０ｂに外力を加えて押し込む。
すなわち、図４に示すように挟込口２２を上向きと下向きにした両拘束単板２０ａ，２０ｂを互いに押し込んで隣り合う各拘束単板２０ａ，２０ｂの左右両側に形成した各貫通孔２４の中心Ｏ２を一致させる。この状態で偏心量はゼロとなる。
【００２３】
図６は押込時における複数の拘束単板２０ａ，２０ｂの断面を示していて、同図の（ｂ）は拘束単板２０ａ，２０ｂを互いに押し込んで複数の拘束単板２０ａ，２０ｂの左右両側に形成した各貫通孔２４の中心Ｏ２を一致させた状態（図４）における複数の貫通孔２４の縦断面図を示す。
図６の（ａ）は複数の貫通孔２４の中心Ｏ２を一致させた状態（図４）における複数のロープ収容溝２３，２３の変位状態を示している。
拘束単板２０ａ，２０ｂが互いに押し込まれると、複数のロープ収容溝２３，２３がロープＡ，Ｂの外周面を上向きと下向きに交互に押圧してロープＡ，Ｂを波形形状に屈曲させる。
例えばロープＡ，Ｂの径が１２ｍｍで、図２に示した距離ｅを０．５ｍｍに設定した場合には、各ロープＡ，Ｂは各拘束単板２０ａ，２０ｂの不連続のロープ収容溝２３，２３と接する外周面が間隔を隔てて上下両側から１．０ｍｍ分だけ押し込まれる。
拘束単板２０ａ，２０ｂの移動距離（２ｅ）は１ｍｍ程度の極僅かであるから、小規模の拘束機材を用いて簡単にロープＡ，Ｂを波形状に屈曲させて拘束することができる。
【００２４】
＜３＞拘束単板の位置決め固定
図６の（ｂ）に示すように、複数の拘束単板２０ａ，２０ｂの押込時において、各拘束単板２０ａ，２０ｂの左右両側の貫通孔２４，２４を同一線上に位置合わせした状態で拘束ボルト３０，３０を挿し込み、ナット３１を螺着して複数の拘束単板２０ａ，２０ｂを固定する。
複数の拘束単板２０ａ，２０ｂに跨って設置した拘束ボルト３０が拘束単板２０ａ，２０ｂの戻りを規制してロープＡ，Ｂの拘束状態が維持される。
【００２５】
拘束ボルト３０の組付け方法としては、複数の拘束単板２０ａ，２０ｂの左右一方の貫通孔２４に先行して拘束ボルト３０を挿通した後に、該拘束ボルト３０を中心に拘束単板２０ａ，２０ｂを旋回させて、他方の貫通孔２４に拘束ボルト３０を挿通してもよいし、相対向する拘束単板２０ａ，２０ｂを平行に押し付けた状態で左右両方の貫通孔２４，２４に同時に拘束ボルト３０を挿通してもよい。
【００２６】
＜４＞グリップ装置のスリップ動作
グリップ装置１０に拘束されたロープＡ，Ｂの一方又は両方に引張力が作用すると、その引張力はロープＡ，Ｂとロープ収容溝２３の接触面へ伝わる。
引張力がロープＡ，Ｂとロープ収容溝２３，２３の周面間におけるスリップ抵抗を超えないときは、ロープＡ，Ｂにスリップを生じない。
引張力がロープＡ，Ｂとロープ収容溝２３，２３の周面間におけるスリップ抵抗を超えると、ロープＡ，Ｂが引張り方向Ａ１，Ｂ１へ向けてスリップを開始し、この滑動抵抗により引張力が減衰される。
各ロープＡ，Ｂは隣接した複数の拘束単板２０ａ，２０ｂの間を、波形形状を維持しながらスリップするので安定したスリップ抵抗を得ることができる。
【００２７】
＜５＞スリップ抵抗の設定方法
グリップ装置１０は、一枚あたりの拘束単板２０とロープＡ，Ｂのスリップ抵抗が一定であることから、拘束単板２０の積層枚数を選択したり（設定方法１）、或いは拘束単板２０の偏心量を変更したり（設定方法２）することでグリップ装置１０全体のスリップ抵抗（スリップ張力）を簡単に設定することができる。
求められるスリップ抵抗力や設置スペース等を考慮して、前記した設定方法１，２の何れか一方、又は両方を組み合せることでグリップ装置１０のスリップ抵抗を設定する。
【００２８】
＜６＞グリップ装置の組付け例
図７は複数のロープＡ，Ｂと複数のグリップ装置１０とを組み合せて防護柵用の防護ネットを形成した形態を示す。
本例では、各ロープＡ，Ｂをループ状に巻き掛け、各ロープＡ，Ｂの交差部にグリップ装置１０を組み付けて複数の単体輪ａ１，ｂ１を横一列に連続して形成する。
更に図面上で上下に隣接させた各単体輪ａ１，ｂ１の中間地点と各ロープＡ，Ｂの直線部との間にグリップ装置１０を組み付けて、上下に位置するロープＡ，Ｂ間を連結して、連続輪要素からなる防護ネットを組み立てる。
本例におけるグリップ装置１０の作用は既述したグリップ装置１０と同様であるのでその説明を省略する。
【符号の説明】
【００２９】
Ａ，Ｂ・・・・ロープ
１０・・・・・グリップ装置
２０・・・・・拘束単板
２０ａ・・・・挟込口を上向きにした拘束単板
２０ｂ・・・・挟込口を下向きにした拘束単板
２１・・・・・単板本体
２２・・・・・挟込口
２３・・・・・ロープ収容溝
２４・・・・・貫通孔
３０・・・・・拘束ボルト
３１・・・・・ナット
【図１】
0006600595.tif 000002
【図２】
0006600595.tif 000003
【図３】
0006600595.tif 000004
【図４】
0006600595.tif 000005
【図５】
0006600595.tif 000006
【図６】
0006600595.tif 000007
【図７】
0006600595.tif 000008